【手続補正書】
【提出日】平成20年6月5日(2008.6.5)
【手続補正１】
【補正対象書類名】明細書
【補正対象項目名】特許請求の範囲
【補正方法】変更
【補正の内容】
【特許請求の範囲】
【請求項１】  
布地物品を処理する方法であって、
（ａ）第一洗濯器具において、主流体と、界面活性剤を含んでなる少なくとも一つの洗浄組成物との存在下で、布地物品を洗浄し、
（ｂ）前記第一洗濯器具において、前記布地物品から前記洗浄組成物を少なくとも部分的に除去し、
（ｃ）前記第一洗濯器具において、親油性洗浄流体の存在下で、布地回復組成物により前記布地物品を処理する少なくとも一つの工程、
（ｄ）前記第一洗濯器具において、前記布地物品から前記親油性洗浄流体を除去し、及び、
（ｅ）必要に応じて、前記親油性洗浄流体を回収する各工程を備えてなる、布地物品を処理する方法。
【請求項２】
工程（ａ）が、
（ｉ）水が前記主流体である浸漬洗浄工程、
（ｉｉ）水が前記主流体である非浸漬洗浄工程、
（ｉｉｉ）親油性洗浄流体が前記主流体である浸漬洗浄工程、
（ｉｖ）親油性洗浄流体が前記主流体である非浸漬洗浄工程、
（ｖ）流動化高密度ガスが前記主流体である浸漬洗浄工程、及び
（ｖｉ）流動化高密度ガスが前記主流体である非浸漬洗浄工程から選択されるものである、請求項１に記載の方法。
【請求項３】
色又は型により前記布地物品を分離又はグループ分けすることなく行う、請求項１に記載の方法。
【請求項４】
工程（ａ）が（ｉ）、（ｉｉ）、（ｉｉｉ）及び（ｉｖ）から選択されるものである、請求項２に記載の方法。
【請求項５】
工程（ｃ）及び（ｄ）における前記流体が、化学的に異なる主流体を特徴とするものである、請求項３に記載の方法。
【請求項６】
請求項１に記載の方法の為の洗浄回復組成物。
【請求項７】
請求項１に記載の方法の為の布地物品回復組成物。
【請求項８】
請求項１に記載の方法の為の少なくとも一つの洗浄組成物と、及び請求項１に記載の方法の為の少なくとも一つの布地物品回復組成物とを備えてなる、キット。
【請求項９】
請求項１に記載の方法により製造された、布地物品。
【請求項１０】
洗浄と布地回復とを統合した方法における布地回復を改善する方法であって、主流体切り替えを行うことを備えてなる、方法。
【請求項１１】
洗浄と布地回復とを統合した方法における界面活性剤残留物の調整を改善する方法であって、主流体切り替えを行なう工程を備えてなる、方法。
【請求項１２】
洗浄と布地回復とを統合した方法における布地回復を改善する方法であって、主流体切り替えを行うことを備えてなり、
前記切り替えが第一誘電定数を有する主流体から第二の異なる誘電定数を有する主流体とし、前記誘電定数が任意の添加物の不在下で決定されてなる、方法。
【請求項１３】
第二主流体が、香料、助香料、光沢剤、抗菌剤、帯電防止剤、布地柔軟剤、非柔軟布地触感変性剤、及びこれらの混合物からなる群から選択される添加物の存在下で使用されるものである、請求項１２に記載の方法。
【請求項１４】
誘電定数の差異は少なくとも１０であることを特徴とする、請求項１３に記載の方法。
【請求項１５】
第一主流体の誘電定数が少なくとも３５であり、及び
第二主流体の誘電定数が第一主流体の誘電定数より少なくとも１５低いものである、請求項１３に記載の方法。
【請求項１６】
布地物品と第一主流体の重量比が少なくとも１：１であり、布地物品と第二主流体の重量比が少なくとも１：０．２、好ましくは１：１であることを特徴とする、請求項８に記載の方法。
【請求項１７】
工程（ｂ）が前記布地物品を実質的な乾燥としないものである、請求項５に記載の方法。
【請求項１８】
工程（ａ）における前記界面活性剤が、非イオン界面活性剤以外の界面活性剤を含んでなるものである、請求項１７に記載の方法。
【請求項１９】
前記布地物品が、ビニルモノマーとグラフトされたシルク以外の布地で構成されてなるものである、請求項１８に記載の方法。
【請求項２０】
工程（ａ）で置かれた前記布地物品が、水性洗剤により、および従来の布地柔軟剤により洗濯した経歴を少なくとも部分的に有する、請求項１９に記載の方法。
【請求項２１】
請求項１に記載の方法を行う為の、家庭用器具。
【請求項２２】
物品を洗浄する方法であって、
前記物品に、親油性洗浄流体を接触させることを含んでなるものであり、
前記親油性洗浄流体が、
（ｉ）水中で界面活性を示し、かつ、少なくとも一つの中鎖分枝状の、ライアル又はゲルベ分枝状の疎水性物質を有する少なくとも一つの界面活性剤又は表面活性ポリマーと、
（ｉｉ）二酸化炭素中で界面活性を示し、かつ、少なくとも一つの中鎖分枝状の、ライアル又はゲルベ分枝状の疎水性物質を有する少なくとも一つの界面活性剤又は表面活性ポリマーと、及び
（ｉｉｉ）これらの混合物からなる群から選択される少なくとも一つの部材を含んでなるものである、方法。
【請求項２３】
前記疎水性物質が、中鎖分枝状のものである、請求項２２に記載の方法。
【請求項２４】
工程（ａ）、続いて工程（ｂ）、続いて工程（ｃ）、続いて工程（ｄ）、必要に応じて、しかしながら好ましくは続いて工程（ｅ）の順序を有してなる、請求項１７に記載の方法。
【請求項２５】
工程（ａ）、続いて工程（ｂ）、続いて工程（ｃ）、続いて工程ｄ）の順序を有してなり、
前記工程（ｃ）が、
（ｉ）少なくとも部分的に親油性洗浄流体の存在下で、一回以上の前記布地物品を濯ぎ、及び
（ｉｉ）前記親油性洗浄流体の存在下で、布地回復組成物により前記布地物品を処理する手順を備えてなる、請求項１７に記載の方法。
【請求項２６】
布地物品の触感又は視覚的外観特性を改良する方法であって、
前記布地物品を親油性洗浄流体と接触させることを備えてなる、方法。
【請求項２７】
前記布地物品が、布地柔軟剤の処理経歴を有するものである、請求項２６に記載の方法。
【請求項２８】  
請求項２６に記載の方法であって、
（ａ）第一洗濯器具において、主流体と、界面活性剤を含んでなる少なくとも一つの洗浄組成物との存在下で、布地物品を洗浄し、
（ｂ）前記第一洗濯器具において、前記布地物品から前記洗浄組成物を少なくとも部分的に除去し、
（ｃ）前記第一洗濯器具において、親油性洗浄流体の存在下で、布地回復組成物により前記布地物品を処理する少なくとも一つの工程、
（ｄ）前記第一洗濯器具において、前記布地物品から前記親油性洗浄流体を除去し、及び、
（ｅ）必要に応じて、前記親油性洗浄流体を回収する各工程を備えてなる、方法。
【請求項２９】
前記親油性洗浄流体が、
（ｉ）１８０℃〜２５０℃の標準沸点、及び１０ｃＳ以下の粘度を有する線状及び環状シロキサンと、
（ｉｉ）ジプロピレングリコールエーテルと、及び
（ｉｉｉ）これらの混合物からなる群から選択される部材を含んでなる、請求項２６に記載の方法。
【請求項３０】
布地物品を処理する方法であって、
（ａ）前記布地物品を第一主流体に接触させ、
（ｂ）前記布地物品から第一主流体を少なくとも部分的に除去し、
（ｃ）前記布地物品を第二主流体に接触させ、
（ｄ）前記布地物品から第二主流体を少なくとも部分的に除去し、及び、
（ｅ）必要に応じて、第二主流体を回収する各工程を備えてなる、方法。
【請求項３１】
第一主流体及び第二主流体が、それぞれ、水と、線状又は環状シロキサンと、炭化水素と、グリコールエーテルと、流動化高密度ガスと、及びこれらの混合物からなる群から選択されるものである、請求項３０に記載の方法。
【請求項３２】
第一主流体及び第二主流体の少なくとも一つが、親油性流体である、請求項３０に記載の方法。
【請求項３３】
第一主流体及び第二主流体の少なくとも一つが、水である、請求項３０に記載の方法。
【請求項３４】
第一主流体及び第二主流体が、誘電定数の差異が少なくとも１０である、請求項３０に記載の方法。
【請求項３５】
工程（ａ）が、
（ｉ）水が前記主流体である浸漬洗浄工程、
（ｉｉ）水が前記主流体である非浸漬洗浄工程、
（ｉｉｉ）親油性洗浄流体が前記主流体である浸漬洗浄工程、
（ｉｖ）親油性洗浄流体が前記主流体である非浸漬洗浄工程、
（ｖ）流動化高密度ガスが前記主流体である浸漬洗浄工程、及び
（ｖｉ）流動化高密度ガスが前記主流体である非浸漬洗浄工程から選択されるものである、請求項３０に記載の方法。
【請求項３６】
工程（ａ）が（ｉ）、（ｉｉ）、（ｉｉｉ）及び（ｉｖ）から選択されるものである、請求項３５に記載の方法。
【請求項３７】
単一洗濯用途において実行されてなる、請求項３０に記載の方法。
【請求項３８】
工程（ａ）から工程（ｄ）まで、必要に応じて、続いて工程（ｅ）が続けて実行されてなる、請求項３０に記載の方法。
【請求項３９】
親油性洗浄流体の存在下で、前記物品を１回又は複数回濯ぐことをさらに含んでなる、請求項３８に記載の方法。
【請求項４０】
主流体切り替えを行うことをさらに備えてなる、請求項３９に記載の方法。
【請求項４１】
界面活性剤、布地柔軟剤、酵素、香料、助香料、漂白剤、漂白活性剤、漂白触媒、漂白増進剤、石鹸水又は泡促進剤、緩衝剤、キレート剤、増白剤、抗菌剤、帯電防止剤、非柔軟布地触感変性剤、アルカリ化剤、着色料、石灰石鹸分散剤、臭気調整剤、臭気中和剤、染料転移制御剤、結晶成長制御剤、解乳化剤、光漂白剤、重金属イオン封鎖剤、抗曇剤、抗微生物剤、抗酸化剤、再付着防止剤、汚れ放出ポリマー、電解質、ｐＨ調整剤、増粘剤、研磨剤、二価イオン、金属イオン塩、酵素安定化剤、ジアミン、泡安定ポリマー、溶媒、加工補助剤、光増白剤、向水性物質、及びこれらの混合物からなる群から洗濯された添加物の存在下で、第一主流体及び第二主流体の少なくとも一つが使用されてなる、請求項３０に記載の方法。
【請求項４２】
第一主流体及び第二主流体における添加物が異なるものである、請求項４１に記載の方法。
【請求項４３】
第一主流体における添加物が洗浄添加物であり、
第二主流体における添加物が回復添加物である、請求項４１に記載の方法。
【請求項４４】
布地物品を処理する方法であって、
（ａ）前記布地物品を第一主流体及び必要に応じて第一主流体と異なる第一補助流体とを含んでなる第一混合物に接触させ、
（ｂ）前記布地物品から第一主流体を少なくとも部分的に除去し、
（ｃ）前記布地物品を第二主流体及び必要に応じて第二主流体と異なる第二補助流体とを含んでなる第二混合物に接触させ、
（ｄ）前記布地物品から第二主流体を少なくとも部分的に除去し、及び、
（ｅ）必要に応じて、第二主流体を回収する各工程を備えてなり、
第一主流体及び第二主流体が異なるものであり、かつ、水と、線状又は環状シロキサンと、炭化水素と、グリコールエーテルと、流動化高密度ガスと、及びこれらの混合物からなる群からそれぞれ選択されてなるものである、方法。
【請求項４５】
工程（ａ）及び工程（ｂ）が、独立に、浸漬洗浄工程又は非浸漬洗浄工程である、請求項４４に記載の方法。
【請求項４６】
第一主流体及び第一補助流体が異なるものであり、かつ、第二主流体及び第二補助流体が異なるものであり、
各流体が、水と、線状又は環状シロキサンと、炭化水素と、グリコールエーテルと、及びこれらの混合物からなる群から独立に選択されてなるものである、請求項４４に記載の方法。
【請求項４７】
界面活性剤、布地柔軟剤、酵素、香料、助香料、漂白剤、漂白活性剤、漂白触媒、漂白増進剤、石鹸水又は泡促進剤、緩衝剤、キレート剤、増白剤、抗菌剤、帯電防止剤、非柔軟布地触感変性剤、アルカリ化剤、着色料、石灰石鹸分散剤、臭気調整剤、臭気中和剤、染料転移制御剤、結晶成長制御剤、解乳化剤、光漂白剤、重金属イオン封鎖剤、抗曇剤、抗微生物剤、抗酸化剤、再付着防止剤、汚れ放出ポリマー、電解質、ｐＨ調整剤、増粘剤、研磨剤、二価イオン、金属イオン塩、酵素安定化剤、ジアミン、泡安定ポリマー、溶媒、加工補助剤、光増白剤、向水性物質、及びこれらの混合物からなる群から洗濯された添加物の存在下で、第一主流体及び第二主流体の少なくとも一つが使用されてなる、請求項４４に記載の方法。
【請求項４８】
布地物品を処理する方法であって、
（ａ）前記布地物品を、第一主流体を含んでなる実質的に水性洗浄媒体にさらしてなり、
（ｂ）前記布地物品を、第二主流体を含んでなる実質的に非水性洗浄媒体にさらしてなり、
（ｃ）前記布地物品から第一主流体又は第二主流体を少なくとも部分的に除去し、
第一主流体が水であり、及び
第二主流体が線状又は環状シロキサンと、炭化水素と、グリコールエーテルと、及びこれらの混合物からなる群からそれぞれ選択されてなるものであり、
工程（ｂ）が工程（ａ）の前又は後に行われる、方法。
【請求項４９】
工程（ａ）及び工程（ｂ）が、独立に、浸漬洗浄工程又は非浸漬洗浄工程である、請求項４８に記載の方法。
【請求項５０】
界面活性剤、布地柔軟剤、酵素、香料、助香料、漂白剤、漂白活性剤、漂白触媒、漂白増進剤、石鹸水又は泡促進剤、緩衝剤、キレート剤、増白剤、抗菌剤、帯電防止剤、非柔軟布地触感変性剤、アルカリ化剤、着色料、石灰石鹸分散剤、臭気調整剤、臭気中和剤、染料転移制御剤、結晶成長制御剤、解乳化剤、光漂白剤、重金属イオン封鎖剤、抗曇剤、抗微生物剤、抗酸化剤、再付着防止剤、汚れ放出ポリマー、電解質、ｐＨ調整剤、増粘剤、研磨剤、二価イオン、金属イオン塩、酵素安定化剤、ジアミン、泡安定ポリマー、溶媒、加工補助剤、光増白剤、向水性物質、及びこれらの混合物からなる群から洗濯された添加物の存在下で、第一主流体及び第二主流体の少なくとも一つが使用されてなる、請求項４８に記載の方法。